(57)【要約】【課題】特に同時給排換気扇においては、小型で簡単な構造が要求されている。ファンやケーシングが二個要り構造が複雑になり、また寸法が大きくなるという課題がある。【解決手段】円筒状ケーシング１と、円筒状ケーシング１の内部に駆動装置としての電動機２を備え、電動機２の回転軸３に、垂直な主板４と主板４に配設された集塵機能と送風機能を有するフィルター材５をブレードとして形成したファン６が回転すると、ファン６は遠心力により空気を昇圧しながら外周側に送り出すので、屋外側７より屋外空気を吸引し、円筒状ケーシング１を通り、室内側８に送り込まれる。ファン６のブレードは集塵機能を持つガラス繊維などの材質で出来たフィルター材５で形成されているので、送風作用と集塵作用を行うことができ、従来１個のファンと給気用集塵フィルターとで形成した構造であったものを、ファン一個で形成することができ、構成部品を少なく小型にできる。【選択図】図１
2008075931.tif 000002
【特許請求の範囲】
【請求項１】
給気機能を有するブレードとして集塵機能を有するフィルター材で形成したことを特徴とする給気型換気扇。
【請求項２】
給気機能を有するブレードとして集塵機能を有するフィルター材で形成し、かつブレードと本体との隙間には、空気の逆流を防止するようにした構成としたことを特徴とする請求項１記載の給気型換気扇。
【請求項３】
給気機能を有するブレードとして集塵機能を有するフィルター材で形成し、かつブレードと本体との隙間には、空気の逆流を防止するようにした植毛を取り付けたことを特徴とする請求項１または２記載の給気型換気扇。
【請求項４】
給気機能を有するブレードとして集塵機能を有するフィルター材で形成し、排気機能と給気機能を１個のファンに有し、かつ排気機能は軸流型で形成した同時給排型換気扇。
【請求項５】
排気機能と給気機能を１個のファンに有し、給気機能を有するブレードは遠心型で、かつ給気ファンの吐出側に粉塵を集塵するための給気フィルターを有し、かつ排気機能は軸流型で形成した同時給排型換気扇。
【請求項６】
排気機能と給気機能を１個のファンに有し、給気部は、給気機能と集塵機能を有する遠心型ブレードとし、かつ本体との隙間には、空気の逆流を防止するようにした構成としたことを特徴とする請求項４または５記載の同時給排型換気扇。
【請求項７】
排気機能と給気機能を１個のファンに有し、給気機能と集塵機能を有するブレードと、本体との隙間には、空気の逆流を防止するようにした植毛を取り付けたことを特徴とする請求項４〜６のいずれかに記載の同時給排型換気扇。
【請求項８】
排気機能と給気機能を１個のファンに有し、給気機能と排気機能は、ともに軸流型で形成した同時給排型換気扇。
【請求項９】
排気機能と給気機能を１個のファンに有し、給気機能と排気機能は、ともに軸流型で、かつ給気ファンの吐出側に粉塵を集塵するための給気フィルターを有した同時給排型換気扇。
【請求項１０】
排気機能と給気機能を１個のファンに有し、給気機能と排気機能は、ともに軸流型で、かつ給気ファンの吸込側に粉塵を集塵するための給気フィルターを有した同時給排型換気扇。
【請求項１１】
排気機能と給気機能を１個のファンに有し、排気側流路と給気側流路の隙間には、空気の逆流を防止するようにした構成としたことを特徴とする請求項４〜１０のいずれかに記載の同時給排型換気扇。
【請求項１２】
排気機能と給気機能を１個のファンに有し、排気側流路と給気側流路の隙間には、空気の逆流を防止するようにした植毛を取り付けたことを特徴とする請求項４〜１０のいずれかに記載の同時給排型換気扇。
【請求項１３】
遠心ファンの駆動手段として、遠心ファンと同軸上に取り付けた風車を設置した給気型換気扇。
【請求項１４】
軸流ファンの駆動手段として、軸流ファンと同軸上に取り付けた風車を備えたことを特徴とする給気型換気扇。
【請求項１５】
ファンの駆動手段として、ファンと同軸上に取り付けた風車を設置したことを特徴とする請求項４〜１２のいずれかに記載の同時給排換気扇。
【発明の詳細な説明】
【技術分野】
【０００１】
本発明は、主に壁に設置され、排気または給気機器として使用される同時給排型換気扇に関するものである。
【背景技術】
【０００２】
従来、この種の換気扇は、１個のモータで、２個のファンを回転させ、２個のスクロールを配置した構成の換気扇が知られている（例えば、特許文献１参照）。
【０００３】
以下、その換気扇について図１２を参照しながら説明する。
【０００４】
図に示すように、給気用シロッコファン１０１および排気用シロッコファン１０２の各々が、１個のモータ１０３で回転し、同時に同量の給排気を行い、給気は外側に吹き下ろし、排気は中央から吸い込むため、給排気の混合を防ぐ装置である。
【０００５】
上記構成において、給気用シロッコファン１０１が回転すると、吸込空気ＡはオリフィスＡ１０４の吸込孔Ａ１０５を通り、スクロールＡ１０６の中を通り吐出口Ａ１０７より吐き出される。また排気用シロッコファン１０２が回転すると、吸込空気Ｂは、オリフィスＢ１０８の吸込孔Ｂ１０９を通り、スクロールＢ１１０を通り吐出口Ｂ１１１より吐き出される。スクロールＡ１０６およびスクロールＢ１１０とは風路が別になっており、空気が混ざることはない。
【特許文献１】特開平９−１１２９８８号公報
【発明の開示】
【発明が解決しようとする課題】
【０００６】
このような従来の給気を行う換気扇では、ファンと集塵フイルターが別々に設置されていて大型になり、また同時に給排気を行う換気扇では、ファンやスクロールが各々二個必要なので構造が複雑になり、また寸法が大きくなるという課題があり、小型で簡単な構造とすることと省エネにすることが要求されている。
【０００７】
本発明は、このような従来の課題を解決するものであり、送風するためのファンと集塵するためのフイルターを同一物とする給気ファンとし、また給気ファンと排気ファンを一体とし構造が簡単でかつ小型にすることができる同時給排ファンとし、また、電動機を用いないで小型および省エネとした給気型換気扇および同時給排型換気扇を提供することを目的としている。
【課題を解決するための手段】
【０００８】
本発明の多翼ファンは上記目的を達成するために、給気機能を有するブレードとして集塵機能を有するフィルター材で形成したことを特徴とする給気型の換気扇としたものである。
【０００９】
この手段により、ファンとフイルターを別々に設置することなく、ブレードが粉塵を集塵する機能を有するフィルター材で構成されているので、構成部品が１個となり構造が簡単で、かつ小型となる給気用の換気扇が得られる。
【００１０】
また他の手段は、給気機能を有するブレードとして集塵機能を有するフィルター材で形成し、かつブレードと本体との隙間には、空気の逆流を防止するようにした構成としたことを特徴とする給気型換気扇としたものである。
【００１１】
この手段により、この手段により、ファンとフイルターを別々に設置することなく、ブレードが粉塵を集塵する機能を有するフィルター材で構成されているので構成部品が１個となり、構造が簡単で小型となり、かつ逆流防止による高性能な給気用の換気扇が得られる。
【００１２】
また他の手段は、給気機能を有するブレードとして集塵機能を有するフィルター材で形成し、かつブレードと本体との隙間には、空気の逆流を防止するようにした植毛を取り付けたことを特徴とする給気型換気扇としたものである。
【００１３】
この手段により、ファンとフイルターを別々に設置することなく、ブレードが粉塵を集塵する機能を有するフィルター材で構成されているので構成部品が１個となり、構造が簡単で小型となり、かつ逆流防止による高性能な給気用の換気扇が得られる。
【００１４】
また他の手段は、給気機能を有するブレードとして集塵機能を有するフィルター材で形成し、排気機能と給気機能を１個のファンに有し、かつ排気機能は軸流型で形成した同時給排型換気扇としたものである。
【００１５】
この手段により、従来はファンが２個必要であったが、排気ファンとしてファン中央部に軸流型のファンが備わっている構成としているのでファン１個で済み、構造が簡単で小型となる同時給排型換気扇が得られる。
【００１６】
また他の手段は、排気機能と給気機能を１個のファンに有し、給気機能を有するブレードは遠心型で、かつ給気ファンの吐出側に粉塵を集塵するための給気フイルターを有し、かつ排気機能は軸流型で形成した同時給排型換気扇としたものである。
【００１７】
この手段により、従来はファンが２個必要であったが、排気ファンとしてファン中央部に軸流型のファンが備わっている構成としているのでファン１個で済み、構造が簡単で小型となる清浄機能付同時給排型の換気扇が得られる。
【００１８】
また、他の手段は、排気機能と給気機能を１個のファンに有し、給気部は、給気機能と集塵機能を有する遠心型ブレードとし、かつ本体との隙間には、空気の逆流を防止する構成とした同時給排型換気扇としたものである。
【００１９】
この手段により、従来はファンが２個必要であったが、排気ファンとしてファン中央部に軸流型のファンが備わっている構成としているのでファン１個で済み、構造が簡単で小型となり、かつ逆流防止による高性能な粉塵が集塵できる同時給排型換気扇が得られる。
【００２０】
また他の手段は、排気機能と給気機能を１個のファンに有し、給気機能と集塵機能を有するブレードと、本体との隙間には、空気の逆流を防止するための植毛を取り付けた構成とした同時給排型換気扇としたものである。
【００２１】
この手段により、従来はファンが２個必要であったが、排気ファンとしてファン中央部に軸流型のファンが備わっている構成としているのでファン１個で済み、構造が簡単で小型となり、かつ逆流防止による高性能な清浄機能付の同時給排型換気扇が得られる。
【００２２】
また他の手段は、排気機能と給気機能を１個のファンに有し、給気機能と排気機能は、ともに軸流型で形成した同時給排型換気扇としたものである。
【００２３】
この手段により、ファンを２個ではなく１個で、かつファンの中央部および外周部のいずれも軸流型のファンで構成としているので、構造がさらに簡単で、かつより小型となる給排同時型の換気扇が得られる。
【００２４】
また他の手段は、排気機能と給気機能を１個のファンに有し、給気機能と排気機能は、ともに軸流型で、かつ給気ファンの吐出側に粉塵を集塵するための給気フイルターを有した同時給排型換気扇としたものである。
【００２５】
この手段により、ファンを２個ではなく１個で、かつファンの中央部および外周部のいずれも軸流型のファンで構成としており、さらにフイルタ−が付いているので、構造が簡単で、かつより小型となる粉塵が集塵できる同時給排型換気扇が得られる。
【００２６】
また他の手段は、排気機能と給気機能を１個のファンに有し、給気機能と排気機能は、ともに軸流型で、かつ給気ファンの吸込側に粉塵を集塵するための給気フイルターを有した同時給排型換気扇としたものである。
【００２７】
この手段により、ファンを２個ではなく１個で、かつファンの中央部および外周部のいずれも軸流型のファンで構成としており、さらにフイルタ−が付いているので、構造が簡単で、かつより小型となる粉塵が集塵できる同時給排型換気扇が得られる。
【００２８】
また他の手段は、排気機能と給気機能を１個のファンに有し、排気側流路と給気側流路の隙間には、空気の逆流を防止するようにした構成とした同時給排型換気扇としたものである。
【００２９】
この手段により、ファンを２個ではなく１個で、かつ排気側から給気側へ逆流を防止することにより、構造が簡単で、より小型となり、かつ高性能な同時給排型換気扇が得られる。
【００３０】
また他の手段は、排気機能と給気機能を１個のファンに有し、排気側流路と給気側流路の隙間には、空気の逆流を防止するようにした植毛を取り付けた構成とした同時給排型換気扇としたものである。
【００３１】
この手段により、ファンを２個ではなく１個で、かつ排気側から給気側へ逆流を防止することにより、構造が簡単で、より小型となり、かつ高性能な同時給排型換気扇が得られる。
【００３２】
また他の手段は、遠心ファンの駆動手段として、遠心ファンと同軸上に取り付けた風車を備えた給気型換気扇としたものである。
【００３３】
この手段により、屋外の風力を利用し、電動機の電力を用いないので、省エネ型の給気用換気扇が得られる。
【００３４】
また他の手段は、軸流ファンの駆動手段として、軸流ファンと同軸上に取り付けた風車を備えたことを特徴とする給気型換気扇としたものである。
【００３５】
この手段により、屋外の風力を利用し、電動機の電力を用いないので、省エネ型の給気用換気扇が得られる。
【００３６】
また他の手段は、ファンの駆動手段として、ファンと同軸上に取り付けた風車を設置したことを特徴とする同時給排型換気扇としたものである。
【００３７】
この手段により、屋外の風力を利用し、電動機の電力を用いないので、省エネ型の同時給排型換気扇が得られる。
【発明の効果】
【００３８】
本発明によれば、このような従来の課題を解決するものであり、送風するためのファンと集塵するためのフイルターを同一物とする給気ファンとし、また給気ファンと排気ファンを一体とし構造が簡単でかつ小型にすることができる同時給排ファンとし、また、電動機を用いないで小型および省エネとした給気型換気扇および同時給排型換気扇を提供することができる。
【発明を実施するための最良の形態】
【００３９】
本発明の請求項１記載の発明は、円筒状のケーシングと、このケーシング内部に電動機などの駆動装置の回転軸に、垂直な主板と、この主板に配設された集塵機能を有するフィルター材で形成した複数のブレードを備えたことを特徴とする給気型の換気扇としたものであり、集塵機能を有するフイルターは、繊維状素材で形成され粉塵を回収するのみでなく、遠心力作用により空気をファンの外周方向に昇圧および送風する。
【００４０】
この結果、フイルターの素材の繊維により空気を遠心力により遠心方向に動かし昇圧および送風するとともに、同時に繊維に塵埃を付着させることにより集塵し、従来１個のファンと、その外周部に固定設置した給気用集塵フイルターとで形成した構造であったものを、固定型フイルターを設置せずに、ファン一個で形成することができ、従来より構成部品を少なく、かつ小型にできるという作用を有する。
【００４１】
また、給気機能を有するブレードとして集塵機能を有するフィルター材で形成し、かつブレードと本体との隙間には、空気の逆流を防止する構成としたことを特徴とする給気型換気扇としたものである。
【００４２】
この結果、フイルターの素材の繊維により空気を遠心力により遠心方向に動かし昇圧および送風するとともに、同時に繊維に塵埃を付着させることにより集塵し、従来、給気部に固定設置した給気用集塵フイルターとで形成した構造であったものを、固定型フイルターを設置せずに、ファン一個で、排気と給気とをすることができ、従来の給気型より、構成部品を少なく、かつ小型にできるのみでなく、給気機能と集塵機能を有するブレードを備えたファンと本体との隙間に植毛を付け逆流の空気抵抗を増大させることにより逆流を防止し給気型ファンの性能を向上という作用を有する。
【００４３】
また、給気機能を有するブレードとして集塵機能を有するフィルター材で形成し、かつブレードと本体との隙間には、空気の逆流を防止するようにするための植毛を取り付けたことを特徴とする給気型換気扇としたものである。
【００４４】
この結果、フイルターの素材の繊維により空気を遠心力により遠心方向に動かし昇圧および送風するとともに、同時に繊維に塵埃を付着させることにより集塵し、従来、給気部に固定設置した給気用集塵フイルターとで形成した構造であったものを、固定型フイルターを設置せずに、ファン一個で、排気と給気とをすることができ、従来の給気型より、構成部品を少なく、かつ小型にできるのみでなく、給気機能と集塵機能を有するブレードを備えたファンと本体との隙間に植毛を付け逆流の空気抵抗を増大させることにより逆流を防止し給気型ファンの性能を向上という作用を有する。
【００４５】
また、円筒状のケーシングと、このケーシング内部に電動機などの駆動装置の回転軸に、排気機能を有する軸流型ファンを連結し、その外周部にベルマウス状円筒と、この円筒のベルマウス部に配設された集塵機能を有するフィルター材で形成した複数のブレードで形成し、排気機能と給気機能を１個のファンに有し、給気機能を有するブレードとして集塵機能を有するフィルター材で形成し、かつ排気機能は軸流型で形成し排気機能と給気機能を１個のファンに有した給排同時型の換気扇としたものである。
【００４６】
この結果、フイルターの素材の繊維により空気を遠心力により遠心方向に動かし昇圧および送風するとともに、同時に繊維に塵埃を付着させることにより集塵し、従来１個のファンと、その外周部に固定設置した給気用集塵フイルターとで形成した構造であったものを、固定型フイルターを設置せずに、ファン一個で、排気と給気とをすることができ、従来の同時給排型より、構成部品を少なく、かつ小型にできるという作用を有する。
【００４７】
また、排気機能と給気機能を１個のファンに有し、給気機能を有するブレードは遠心型で、かつ給気ファンの吐出側に粉塵を集塵するための給気フイルターを有し、かつ排気機能は軸流型で形成した同時給排型換気扇としたものである。
【００４８】
この結果、従来は２個必要であったが、１個のファンで、中央部は排気型の軸流ファン、外周部は給気型の遠心型ファンとし、ファン一個で、排気と給気とをすることができるようにすることにより、従来の同時給排型より、構成部品を少なく、かつ小型にできる作用を有する。
【００４９】
また、排気機能と給気機能を１個のファンに有し、給気部は、給気機能と集塵機能を有する遠心型ブレードとし、かつ本体との隙間に植毛を付け逆流の空気抵抗を増大させることにより、空気の逆流を防止する構成とした同時給排型換気扇としたものである。
【００５０】
この結果、フイルターの素材の繊維により空気を遠心力により遠心方向に動かし昇圧および送風するとともに、同時に繊維に塵埃を付着させることにより集塵し、従来は２個必要であったが、１個のファンで、中央部は排気型の軸流ファン、外周部は給気型の遠心ファンとし、ファン一個で、排気と給気とをすることができ、従来の同時給排型より、構成部品を少なく小型にでき、かつ逆流防止による高性能な粉塵が集塵できる同時給排型換気扇が得られる。
【００５１】
また、排気機能と給気機能を１個のファンに有し、給気機能と集塵機能を有するブレードと、本体との隙間に空気の逆流を防止するようにした植毛を取り付けた構成とした同時給排型換気扇としたものである。
【００５２】
この結果、従来は２個必要であったが、１個のファンで、中央部は排気型の軸流ファン、外周部は給気型の遠心ファンとし、ファン一個で、排気と給気とをすることができ、従来の同時給排型より、構成部品を少なく小型にでき、かつ植毛を付け逆流の空気抵抗を増大させ逆流防止による高性能な粉塵が集塵できる同時給排型換気扇が得られる。
【００５３】
また、排気機能と給気機能を１個のファンに有し、給気機能と排気機能は、ともに軸流型で形成した同時給排型換気扇としたものである。
【００５４】
この結果、従来２個のファンで構成していたものを、１個のファンで、中央部は排気型、外周部は給気型の軸流型ファンとし、ファン一個で、排気と給気とをすることができるようにし、従来の同時給排型より、構成部品を少なく、かつ小型にできる同時給排型換気扇が得られる。
【００５５】
また、排気機能と給気機能を１個のファンに有し、給気機能と排気機能は、ともに軸流型で、かつ給気ファンの吐出側に粉塵を集塵するための給気フイルターを有した同時給排型換気扇としたものである。
【００５６】
この結果、従来２個のファンで構成していたものを、１個のファンで、中央部は排気型、外周部は給気型の軸流型ファンとし、ファン一個で、排気と給気とをすることができ、従来の同時給排型より、構成部品を少なく小型にでき清浄作用も有する同時給排型換気扇が得られる。
【００５７】
また、排気機能と給気機能を１個のファンに有し、給気機能と排気機能は、ともに軸流型で、かつ給気ファンの吸込側に粉塵を集塵するための給気フイルターを有した同時給排型換気扇としたものである。
【００５８】
この結果、従来２個のファンで構成していたものを、１個のファンで、中央部は排気型、外周部は給気型の軸流型ファンとし、ファン一個で、排気と給気とをすることができ、従来の同時給排型より、構成部品を少なく小型にでき清浄作用も有する同時給排型換気扇が得られる。
【００５９】
また、排気機能と給気機能を１個のファンに有し、排気側流路と給気側流路の隙間には、空気の逆流を防止する構成とした同時給排型換気扇としたものである。
【００６０】
この結果、従来は２個必要であったが、１個のファンで、中央部は排気型の軸流ファン、外周部は給気型の遠心ファンとし、ファン一個で、排気と給気とをすることができ、従来の同時給排型より、構成部品を少なく小型にでき、かつ逆流の空気抵抗を増大させ逆流防止した高性能な同時給排型換気扇が得られる。
【００６１】
また、排気機能と給気機能を１個のファンに有し、排気側流路と給気側流路の隙間には、空気の逆流を防止するための植毛を取り付けた構成とした同時給排型換気扇としたものである。
【００６２】
この結果、従来は２個必要であったが、１個のファンで、中央部は排気型の軸流ファン、外周部は給気型の遠心ファンとし、ファン一個で、排気と給気とをすることができ、従来の同時給排型より、構成部品を少なく小型にでき、かつ植毛を付け逆流の空気抵抗を増大させ逆流防止した高性能で、かつ粉塵が集塵できる同時給排型換気扇が得られる。
【００６３】
また、電動機を使用せず、遠心ファンの駆動手段として、遠心ファンと同軸上でかつ屋外に取り付けた抗力型の風車を設置し、風力によって室内側に取り付けられた遠心ファンを駆動する換気扇としたものである。
【００６４】
この結果、電動機の電力を用いず、風力によって得られたトルクにより、遠心ファンを駆動することができ、省エネ型の給気用換気扇が得られる。
【００６５】
また、電動機を使用せず、軸流ファンの駆動手段として、軸流ファンと同軸上でかつ屋外に取り付けた抗力型の風車を設置し、風力によってダクト内に取り付けられた軸流ファンを駆動する排気型換気扇としたものである。
【００６６】
この結果、電動機の電力を用いず省エネ型の排気型の換気扇が得られる。
【００６７】
また、電動機を使用せず、軸流ファンの駆動手段として、軸流ファンと同軸上でかつ屋外に取り付けた抗力型の風車を設置し、風力によってダクト内に取り付けられた軸流ファンを駆動する給気型換気扇としたものである。
【００６８】
この結果、電動機の電力を用いず省エネ型の給気型の換気扇が得られる。
【００６９】
また、ファンの駆動手段として、ファンと同軸上に取り付けた抗力型風車を設置したことを特徴とする同時給排型換気扇としたものである。
【００７０】
この結果、屋外の風力を利用し、電動機の電力を用いないので、省エネ型の同時給排型換気扇が得られる。
【００７１】
（実施の形態１）
以下、本発明の実施の形態について図面を参照しながら説明する。
【００７２】
図１に示すように、円筒状ケーシング１と、上記円筒状ケーシング１の内部に駆動装置としての電動機２を備え、上記電動機２の回転軸３に、垂直な主板４と上記主板４に配設された集塵機能と送風機能を有するフィルター材５をブレードとして形成したファン６を取り付け、上記電動機２により回転させる。
【００７３】
上記構成において、上記ファン６が回転すると、ファン６は遠心力により空気を昇圧しながら外周側に送り出すので、上記円筒状ケーシング１内は負圧となり、屋外側７より屋外空気を吸引し、上記円筒状ケーシング１を通り、室内側８に送り込まれる。この時、上記ファン６のブレードは集塵機能を持つガラス繊維などの材質で出来たフィルター材５で形成されているので、送風作用のみでなく集塵作用も行うことができる。
【００７４】
この結果、従来１個のファンと、その外周部に固定設置した給気用集塵フイルターとで形成した構造であったものを、固定型フイルターを設置せずに、ファン一個で形成することができ、従来より構成部品を少なく、かつ小型にできる。
【００７５】
（実施の形態２）
実施の形態１と同一部分は同一番号を付し、詳細な説明は省略する。
【００７６】
図２に示すように、円筒状ケーシング１と、上記円筒状ケーシング１の内部に駆動装置としての電動機２を備え、上記電動機２の回転軸３に、垂直な主板４と上記主板４に配設された集塵機能と送風機能を有するフィルター材５をブレードとして形成したファン６を取り付け、電動機２により回転させる。またファン６と本体９との隙間１０には、空気の逆流を防止するための植毛１１が取り付けてある。ここで植毛とは、ナイロンなどを素材とする線径１ｍｍ以下で、長さは隙間を１〜３ｍｍ残すように決められた１〜５ｍｍ程度を有する毛状のものである。
【００７７】
上記構成において、上記ファン６が回転すると、ファン６は遠心力により空気を昇圧しながら外周側に送り出すので、上記円筒状ケーシング１内は負圧となり、屋外側７より屋外空気を吸引し、上記円筒状ケーシング１を通り、室内側８に送り込まれる。この時、上記ファン６のブレードは集塵機能を持つガラス繊維などの材質で出来たフィルター材５で形成されているので、送風作用のみでなく集塵作用も行うことができる。またファン６と本体９との隙間１０には、植毛１１が取り付けてあるので、ファン６からの吐出空気が吸込側に逆流することを防止することができる。上記植毛１１は、繊維状のプラスチック材で出来ているので上記ファン６の主板４と接触しても駆動力を損なうことはない。このため、植毛１１のない場合より同一風量時の回転数や動力が小さく、電力や騒音が小さくて済み基本性能が向上する。
【００７８】
この結果、従来１個のファンと、その外周部に固定設置した給気用集塵フイルターとで形成した構造であったものを、固定型フイルターを設置せずに、ファン一個で形成することができ、従来より構成部品を少なく、かつ小型にでき、かつ同一風量時の回転数や動力が小さく、電力や騒音が小さくて済み基本性能が向上する。
【００７９】
（実施の形態３）
実施の形態１および２と同一部分は同一番号を付し、詳細な説明は省略する。
【００８０】
図３に示すように、円筒状ケーシング１と、上記円筒状ケーシング１の内部に駆動装置としての電動機２を備え、上記電動機２の回転軸３に、排気機能を有する軸流型ファン１２を連結し、上記軸流型ファン１２の外周部にベルマウス状円筒１３と、上記ベルマウス状円筒１３の外周側に集塵機能と送風機能を有するフィルター材５でブレードを形成した遠心型ブレード１４を取り付けたファン１５が設置されている。また、上記円筒状ケーシング１の内部には、上記円筒状ケーシング１の直径より小さい直径の内部円筒状ケーシング１６が設置されている。ここで、軸流ファンとは気流の方向が軸方向に流入し軸方向に流出するファンである。
【００８１】
上記構成において、上記ファン１５が回転すると、ファン１５の内部の軸流型ファン１２は室内側８より室内空気を吸引し、上記内部円筒状ケーシング１６の内側を通り、屋外側７に送り込まれる。また、上記ベルマウス状円筒１３の外周側に設けられた集塵機能と送風機能を有するフィルター材５でブレードを形成した遠心型ブレード１４を取り付けたファン１５による遠心力により空気は昇圧されながら外周側に送り出されるが、上記円筒状ケーシング１の内側に内部円筒状ケーシング１６が設置してあるので、上記円筒状ケーシング１と上記内部円筒状ケーシング１６の空間は負圧となり、屋外側７より屋外空気を吸引し、上記円筒状ケーシング１と上記内部円筒状ケーシング１６の空間を通り、室内側８に送り込まれる。
【００８２】
この結果、従来１個のファンと、その外周部に固定設置した給気用集塵フイルターとで形成した構造であったものを、固定型フイルターを設置せずに、ファン一個で、排気と給気とをすることができ、従来の同時給排型より、構成部品を少なく、かつ小型にできるという作用を有する。
【００８３】
（実施の形態４）
実施の形態１乃至３と同一部分は同一番号を付し、詳細な説明は省略する。
【００８４】
図４に示すように、円筒状ケーシング１と、上記円筒状ケーシング１の内部に駆動装置としての電動機２を備え、円筒状ケーシング１と、上記円筒状ケーシング１の内部に駆動装置としての電動機２を備え、上記電動機２の回転軸３に、排気機能を有する軸流型ファン１２を連結し、上記軸流型ファン１２の外周部にベルマウス状円筒１３と、上記ベルマウス状円筒１３の外周側に給気機能を有する遠心型ブレード１７を取り付けたファン１８が設置されている。さらに給気機能を有する上記遠心型ブレード１７の外周側には集塵機能を有する固定集塵フィルター１９が設置されている。また、上記円筒状ケーシング１の内部には、上記円筒状ケーシング１の直径より小さい直径の内部円筒状ケーシング１６が設置されている。ここで、遠心型ブレードで取り付けられたファンとは気流の方向が軸方向に流入遠心方向つまり外周方向に流出するファンである。
【００８５】
上記構成において、上記ファン１８が回転すると、ファン１８の内部の軸流型ファン１２は室内側８より室内空気を吸引し、上記内部円筒状ケーシング１６の内側を通り、屋外側７に送り込まれる。また、上記ベルマウス状円筒１３の外周側に給気機能を有する遠心型ブレード１７の遠心力により空気は昇圧されながら外周側に送り出されるが、上記円筒状ケーシング１の内側に内部円筒状ケーシング１６設置してあるので、上記円筒状ケーシング１と上記内部円筒状ケーシング１６の空間は負圧となり、屋外側７より屋外空気を吸引し、上記円筒状ケーシング１と上記内部円筒状ケーシング１６の空間を通り、室内側８に送り込まれる。この時、上記ファン１８の外周側には集塵機能を有する固定集塵フィルター１９が設置されているので、集塵作用も行うことができる。
【００８６】
この結果、従来２個のファンと、その外周部に固定設置した給気用集塵フイルターとで形成した構造であったものを、固定型フイルターとファン一個で、排気と給気とをすることができ従来の同時給排型より構成部品を少なく、かつ小型にできる。
【００８７】
（実施の形態５）
実施の形態１乃至４と同一部分は同一番号を付し、詳細な説明は省略する。
【００８８】
図５に示すように、円筒状ケーシング１と、上記円筒状ケーシング１の内部に駆動装置としての電動機２を備え、上記電動機２の回転軸３に、排気機能を有する軸流型ファン１２を連結し、上記軸流型ファン１２の外周部にベルマウス状円筒１３と、上記ベルマウス状円筒１３の外周側に集塵機能と送風機能を有するフィルター材５でブレードを形成した遠心型ブレード１４を取り付けたファン１５が設置されている。また、上記円筒状ケーシング１の内部には、上記円筒状ケーシング１の直径より小さい直径の内部円筒状ケーシング１６が設置されている。さらに、またファン１５と本体９との隙間１０には、空気の逆流を防止するようにした植毛１１が本体９側に取り付けてある。
【００８９】
上記構成において、上記ファン１５が回転すると、ファン１５の内部の軸流型ファン１２は室内側８より室内空気を吸引し、上記内部円筒状ケーシング１６の内側を通り、屋外側７に送り込まれる。また、上記ベルマウス状円筒１３の外周側に備えられた集塵機能と送風機能を有するフィルター材５でブレードを形成した遠心型ブレード１４の遠心力により空気は昇圧されながら外周側に送り出されるが、上記円筒状ケーシング１の内側に内部円筒状ケーシング１６が設置してあるので、上記円筒状ケーシング１と上記内部円筒状ケーシング１６の空間は負圧となり、屋外側７より屋外空気を吸引し、上記円筒状ケーシング１と上記内部円筒状ケーシング１６の空間を通り、室内側８に送り込まれる。この時、上記ファン１５と円筒状ケーシング１および内部円筒状ケーシング１６との間には隙間２０があり、上記円筒状ケーシング１および内部円筒状ケーシング１６との間の空間つまり圧力の低い給気側風路と、上記内部円筒状ケーシング１６の内側の空間つまり圧力の高い排気側風路とは圧力の差があるので、上記隙間２０を通って空気が混ざり合い、換気風量および給気風量が通常は減少する。しかし、排気側風路と給気側風路の隙間には、空気が排気側から給気側に逆流することを防止した植毛１１を上記内部円筒状ケーシング１６に取り付けているので空気が逆流することは少なく、排気風量および給気風量が増加する。
【００９０】
この結果、同時給排の換気扇において、排気風量および給気風量を減少させることなく、低回転でも排気風量および給気風量が確保でき、電力や騒音の高性能とすることができる。
【００９１】
（実施の形態６）
実施の形態１乃至５と同一部分は同一番号を付し、詳細な説明は省略する。
【００９２】
図６に示すように、円筒状ケーシング１と、上記円筒状ケーシング１の内部に駆動装置としての電動機２を備え、上記電動機２の回転軸３に、排気機能を有する軸流型ファン１２を連結し、上記軸流型ファン１２の外周部に円筒２１と、上記円筒２１の外側には軸流型でかつ給気型の複数のブレード２２を設置したファン２３としている。また、上記円筒状ケーシング１の内部には、上記円筒状ケーシング１より小さい直径の内部円筒状ケーシング１６が設置されている。
【００９３】
上記構成において、上記ファン２３が回転すると、ファン２３の内部の軸流型ファン１２は室内側８より室内空気を吸引し、上記内部円筒状ケーシング１６の内側を通り、屋外側７に送り込まれる。また、上記軸流型ファン１２の外周部に円筒２１と、上記円筒２１の外側に設置した軸流型でかつ給気型の複数のブレード２２も回転するので、屋外空気は屋外側７より吸引され上記円筒状ケーシング１の外側を通り、室内側８に送られ給気する。
【００９４】
この結果、従来は２個のファンで形成した構造であったものを、ファン一個で、排気と給気とをすることができるので、従来の同時給排型より構成部品を少なく、かつ小型にできる。
【００９５】
（実施の形態７）
実施の形態１乃至６と同一部分は同一番号を付し、詳細な説明は省略する。
【００９６】
図７に示すように、円筒状ケーシング１と、上記円筒状ケーシング１の内部に駆動装置としての電動機２を備え、上記電動機２の回転軸３に、排気機能を有する軸流型ファン１２を連結し、上記軸流型ファン１２の外周部に円筒２１と、上記円筒２１の外側には軸流型でかつ給気型の複数のブレード２２を設置したファン２３としている。また、上記円筒状ケーシング１の内部には、上記円筒状ケーシング１より小さい直径の内部円筒状ケーシング１６が設置されている。また、上記給気型の複数のブレード２２の室内側８には、固定集塵フィルター２４が設置されている。
【００９７】
上記構成において、ファン２３が回転すると、ファン２３の内部の軸流型ファン１２は室内側８より室内空気を吸引し、上記内部円筒状ケーシング１６の内側を通り、屋外側７に送り込まれる。また、上記軸流型ファン１２の外周部に円筒２１と、上記円筒２１の外側に設置した軸流型でかつ給気型の複数のブレード２２も回転するので、屋外空気は屋外側７より吸引され上記円筒状ケーシング１の外側を通り、室内側８に送られ給気する。このとき、上記給気型の複数のブレード２２の室内側８または屋外側７には、固定集塵フィルター２４が設置されているので給気空気を集塵することができる。
【００９８】
この結果、従来は２個のファンとフイルターで形成した構造であったものを、ファン一個とフイルターで、排気と給気と清浄機能を発揮することができ、従来の同時給排型より構成部品を少なく、かつ小型にできる。
【００９９】
（実施の形態８）
実施の形態１乃至７と同一部分は同一番号を付し、詳細な説明は省略する。
【０１００】
図８に示すように、円筒状ケーシング１と、上記円筒状ケーシング１の内部に駆動装置としての電動機２を備え、上記電動機２の回転軸３に、排気機能を有する軸流型ファン１２を連結し、上記軸流型ファン１２の外周部に円筒２１と、上記円筒２１の外側には軸流型でかつ給気型の複数のブレード２２を設置したファン２３としている。また、上記円筒状ケーシング１の内部には、上記円筒状ケーシング１より小さい直径の内部円筒状ケーシング１６が設置されている。また、上記給気型の複数のブレード２２の室内側８または屋外側７には、固定集塵フィルター２４が設置されている。
【０１０１】
上記構成において、ファン２３が回転すると、ファン２３の内部の軸流型ファン１２は室内側８より室内空気を吸引し、上記内部円筒状ケーシング１６の内側を通り、屋外側７に送り込まれる。また、上記軸流型ファン１２の外周部に円筒２１と、上記円筒２１の外側に設置した軸流型でかつ給気型の複数のブレード２２も回転するので、屋外空気は屋外側７より吸引され上記円筒状ケーシング１の外側を通り、室内側８に送られ給気する。このとき、上記給気型の複数のブレード２２の室内側８には、固定集塵フィルター２４が設置されているので給気空気を集塵することができる。このとき、上記ファン２３と円筒型ケーシング１および内部円筒状ケーシング１６との間には隙間２５があり、上記円筒状ケーシング１および内部円筒状ケーシング１６との間の空間つまり圧力の低い給気側流路と、上部内部円筒状ケーシング１６の内側の空間つまり圧力の高い排気側風路とは圧力の差があるので、上記隙間２５を通り空気が圧力の低い給気側通路へ通常は逆流し排気風量および給気風量が減少するが排気側風路と給気側通路の隙間２５を埋めるように植毛１１が上記内部円筒状ケーシング１６のファン２３側端面にとりつけてあるので逆流がなく排気風量と給気風量が減少することはない。
【０１０２】
この結果、従来は２個のファンとフイルターで形成した構造であったものを、ファン一個とフイルターで、排気と給気と清浄機能を発揮することができ、従来の同時給排型より構成部品を少なく、かつ小型にできるのみでなく、排気風量と給気風量が減少することなく、高性能を維持することができる。
【０１０３】
（実施の形態９）
実施の形態１乃至８と同一部分は同一番号を付し、詳細な説明は省略する。
【０１０４】
図９に示すように、円筒状ケーシング１と、上記円筒状ケーシング１の外部に駆動装置としての抗力型風車２６を備え、上記抗力型風車の２６の同軸である回転軸３に、給気機能を有する遠心型ファン２７を連結し設置している。
【０１０５】
上記構成において、屋外の風により上記抗力型風車２６が回転すると、上記回転軸３にトルクが伝達し、上記遠心型ファン２７が回転するので、屋外側７より空気を吸引し、室内側８に給気される。
【０１０６】
この結果、電動機の電力を用いず、風力によって得られたトルクにより、遠心ファンを駆動することができ、省エネ型の給気用換気扇が得られる。
【０１０７】
（実施の形態１０）
実施の形態１乃至９と同一部分は同一番号を付し、詳細な説明は省略する。
【０１０８】
図１０に示すように、円筒状ケーシング１と、上記円筒状ケーシング１の外部に駆動装置としての抗力型風車２６を備え、上記抗力型風車の２６の同軸である回転軸３に、上記円筒状ケーシング１内に設置された軸流型ファン２８が連結し設置されている。
【０１０９】
上記構成において、屋外の風により上記抗力型風車２６が回転すると、上記回転軸３にトルクが伝達し、上記軸流型ファン２８が回転するので、屋外側７より空気を吸引し、室内側８に給気される。この場合、上記軸流ファン２８のブレードの取付角度は給気型となっているので給気型の気流となる。排気型の取付角度になっている場合は、排気型の換気扇となる。
【０１１０】
この結果、電動機の電力を用いず省エネ型の給気型の換気扇が得られる。
【０１１１】
（実施の形態１１）
実施の形態１乃至１０と同一部分は同一番号を付し、詳細な説明は省略する。
【０１１２】
図１１に示すように、円筒状ケーシング１の屋外側７に駆動装置としての抗力型風車２６を備え、上記抗力型風車２６の同軸である回転軸３に、排気機能を有する軸流型ファン１２を連結し、上記軸流型ファン１２の外周部に円筒２１と、上記円筒２１の外側には軸流型でかつ給気型の複数のブレード２２を設置したファン２３を備えている。また、上記円筒状ケーシング１の内部には、上記円筒状ケーシング１より小さい直径の内部円筒状ケーシング１６が設置されている。
【０１１３】
上記構成において、屋外側に設置された上記抗力型風車２６が、外部の風により回転すると、上記回転軸３によりファン２３が回転し、上記ファン２３の内部の軸流型ファン１２は室内側８より室内空気を吸引し、上記内部円筒状ケーシング１６の内側を通り、屋外側７に送り込まれる。また、上記軸流型ファン１２の外周部に円筒２１と、上記円筒２１の外側に設置した軸流型でかつ給気型の複数のブレード２２も回転するので、屋外空気は屋外側７より吸引され上記円筒状ケーシング１の外側を通り、室内側８に送られ給気する。
【０１１４】
この結果、電動機の電力を用いず省エネ型となり、かつ小型となる同時給排型の換気扇が得られる。
【産業上の利用可能性】
【０１１５】
本発明は、主に壁に設置され、排気または給気または同時給排型として使用される換気扇を、構造が簡単でかつ小型にすることができ、また省エネにできる換気扇を提供することを目的としている。
【図面の簡単な説明】
【０１１６】
【図１】本発明の実施の形態１の換気扇を示す側断面図
【図２】本発明の実施の形態２の換気扇を示す側断面図
【図３】本発明の実施の形態３の換気扇を示す側断面図
【図４】本発明の実施の形態４の換気扇を示す側断面図
【図５】本発明の実施の形態５の換気扇を示す側断面図
【図６】本発明の実施の形態６の換気扇を示す側断面図
【図７】本発明の実施の形態７の換気扇を示す側断面図
【図８】本発明の実施の形態８の換気扇を示す側断面図
【図９】本発明の実施の形態９の換気扇を示す側断面図
【図１０】本発明の実施の形態１０の換気扇を示す側断面図
【図１１】本発明の実施の形態１１の換気扇を示す側断面図
【図１２】従来の同時給排換気扇を示す側断面図
【符号の説明】
【０１１７】
１      円筒状ケーシング
２      電動機
３      回転軸
４      主板
５      フィルター材
６      ファン
７      屋外側
８      室内側
９      本体
１０    隙間
１１    植毛
１２    軸流型ファン
１３    ベルマウス状円筒
１４    遠心型ブレード
１５    ファン
１６    内部円筒状ケーシング
１７    遠心型ブレード
１８    ファン
１９    固定集塵フィルター
２０    隙間
２１    円筒
２２    ブレード
２３    ファン
２４    固定集塵フィルター
２５    隙間
２６    抗力型風車
２７    遠心型ファン
２８    軸流型ファン
１０１  給気用シロッコファン
１０２  排気用シロッコファン
１０３  モータ
１０４  オリフィスＡ
１０５  吸込孔Ａ
１０６  スクロールＡ
１０７  吐出口Ａ
１０８  オリフィスＢ
１０９  吸込孔Ｂ
１１０  スクロールＢ
１１１  吐出口Ｂ
3
【図１】
2008075931.tif 000003
【図２】
2008075931.tif 000004
【図３】
2008075931.tif 000005
【図４】
2008075931.tif 000006
【図５】
2008075931.tif 000007
【図６】
2008075931.tif 000008
【図７】
2008075931.tif 000009
【図８】
2008075931.tif 000010
【図９】
2008075931.tif 000011
【図１０】
2008075931.tif 000012
【図１１】
2008075931.tif 000013
【図１２】
2008075931.tif 000014